(57)【要約】【課題】複数の表示素子を用いた際の消費電力のピークを抑制させる。【解決手段】画像処理部２０は水平同期信号ＨＳＹＮＣをそのままのタイミングで表示部３０に供給し、遅延部２１によりＴｈ（水平走査期間）／３遅延させた水平同期信号ＨＳＹＮＣ２を表示部４０に供給し、遅延部２２により２Ｔｈ／３遅延させた水平同期信号ＨＳＹＮＣを表示部５０に供給する。また、画像処理部２０は、映像信号ＶＩＤ１をそのままのタイミングで映像信号ＶＩＤ１’として表示部３０に供給し、遅延部２５によりＴｈ／３遅延させた映像信号ＶＩＤ２を映像信号ＶＩＤ２’として表示部４０に供給し、遅延部２６により２Ｔｈ／３遅延させた映像信号ＶＩＤ３を映像信号ＶＩＤ３’として表示部５０に供給する。【選択図】図２
2015203851.tif 000002
【特許請求の範囲】
【請求項１】
第１の水平同期信号と、前記第１の水平同期信号に同期した第１乃至第ｎ（ｎは２以上の自然数）の映像信号を出力する映像出力部と、  
前記第１の水平同期信号を遅延して第２の水平同期信号を出力する第１の水平同期遅延部と、
前記第２の水平同期信号に同期させるように前記第２の映像信号を遅延して第２の遅延映像信号を出力する第１の映像遅延部とを備え、
前記第１の水平同期信号及び前記第１の映像信号は、第１の表示部に供給され、
前記第２の水平同期信号及び前記第２の遅延映像信号は、第２の表示部に供給され、
水平走査期間のうち、表示すべき画像の内容を示す期間を有効期間、前記有効期間以外の期間を帰線期間としたとき、前記第１の水平同期遅延部及び前記第１の映像遅延部の遅延時間は、前記第１の映像信号の前記有効期間と前記第２の遅延映像信号の前記有効期間とが少なくとも一部重ならないように設定される、
ことを特徴とする画像処理装置。
【請求項２】
ｎは３以上の自然数であり、
前記映像出力部は、前記第１の水平同期信号に同期した第３の映像信号を出力し、
前記第１の水平同期信号を遅延して第３の水平同期信号を出力する第２の水平同期遅延部と、
前記第３の水平同期信号に同期させるように前記第３の映像信号を遅延して第３の遅延映像信号を出力する第２の映像遅延部とを備え、
前記第３の水平同期信号及び前記第３の遅延映像信号は、第３の表示部に供給され、
前記第２の水平同期遅延部及び前記第２の映像遅延部の遅延時間は、前記第３の遅延映像信号の前記有効期間と前記第１の映像信号の前記有効期間とが少なくとも一部重ならず、且つ前記第３の遅延映像信号の前記有効期間と前記第２の遅延映像信号の前記有効期間とが少なくとも一部重ならないように設定される、
ことを特徴とする請求項１記載の画像処理装置。
【請求項３】
前記第１の水平同期遅延部の遅延時間と前記第２の水平同期遅延部の遅延時間とは、前記第１の水平同期信号から前記第２の水平同期信号まで期間と、前記第２の水平同期信号から前記第３の水平同期信号までの期間が略等しくなるように設定される、
ことを特徴とする請求項２に記載の画像処理装置。
【請求項４】
ｎは４以上の自然数であり、
前記映像出力部は、前記第１の水平同期信号に同期した第３及び第４の映像信号を出力し、
前記第２の水平同期信号に同期させるように前記第４の映像信号を遅延して第４の遅延映像信号を出力する第２の映像遅延部とを備え、
前記第１の水平同期信号及び前記第３の映像信号は、第３の表示部に供給され、
前記第２の水平同期信号及び前記第４の遅延映像信号は、第４の表示部に供給される、
ことを特徴とする請求項１に記載の画像処理装置。
【請求項５】
第１の垂直同期信号と、前記第１の垂直同期信号に同期した第１乃至第ｎ（ｎは２以上の自然数）の映像信号を出力する映像出力部と、  
前記第１の垂直同期信号を遅延して第２の垂直同期信号を出力する第１の垂直同期遅延部と、
少なくとも前記第２の垂直同期信号に同期させるように前記第２の映像信号を遅延して第２の遅延映像信号を出力する第１の映像遅延部とを備え、
前記第１の垂直同期信号及び前記第１の映像信号は、第１の表示部に供給され、
前記第２の垂直同期信号及び前記第２の遅延映像信号は、第２の表示部に供給される、
ことを特徴とする画像処理装置。
【請求項６】
ｎは３以上の自然数であり、
前記映像出力部は、前記第１の垂直同期信号に同期した第３の映像信号を出力し、
前記第１の垂直同期信号を遅延して第３の垂直同期信号を出力する第２の垂直同期遅延部と、
前記第３の垂直同期信号に同期させるように前記第３の映像信号を遅延して第３の遅延映像信号を出力する第２の映像遅延部とを備え、
前記第３の垂直同期信号及び前記第３の遅延映像信号は、第３の表示部に供給され、
前記第１の垂直同期遅延部の遅延時間と前記第２の垂直同期遅延部の遅延時間とは、前記第１の垂直同期信号から前記第２の垂直同期信号まで期間と、前記第２の垂直同期信号から前記第３の垂直同期信号までの期間が略等しくなるように設定される、
ことを特徴とする請求項５に記載の画像処理装置。
【請求項７】
ｎは４以上の自然数であり、
前記映像出力部は、前記第１の垂直同期信号に同期した第３及び第４の映像信号を出力し、
前記第２の垂直同期信号に同期させるように前記第４の映像信号を遅延して第４の遅延映像信号を出力する第２の映像遅延部とを備え、
前記第１の垂直同期信号及び前記第３の映像信号は、第３の表示部に供給され、
前記第２の垂直同期信号及び前記第４の映像信号は、第４の表示部に供給される、
ことを特徴とする請求項５に記載の画像処理装置。
【請求項８】
請求項１乃至７のうちいずれか１項に記載の画像処理装置と、
第１乃至第ｎの表示部と、
前記第１乃至第ｎの表示部に電源を供給する電源部と、
を備えることを特徴とする表示装置。
【発明の詳細な説明】
【技術分野】
【０００１】
本発明は、画像処理装置及び表示装置に関する。
【背景技術】
【０００２】
複数のプロジェクターを用いて映像の投影を行う投影システムが知られている。プロジェクターに液晶表示装置を用いる場合、画面全体の明るさが所定周期で変化するフリッカーを低減する必要がある。フリッカーは液晶の交流駆動周期に同期して発生する。また、フリッカーは周期が長くなる程、人の視覚上、感知され易くなる。
そこで、特許文献１には、１フレーム周期で液晶を交流駆動する複数のプロジェクターを用い、各プロジェクターに供給する映像信号のフレームが開始するタイミングをずらす技術が開示されている。画面全体のフリッカーは各プロジェクターによって発生するフリッカーの重ね合わせと考えることができるので、この技術によれば、画面全体のフリッカーの周期を短くして、人の視覚上、フリッカーを低減することが可能となる。
【先行技術文献】
【特許文献】
【０００３】
【特許文献１】特開２０１１−１２８１７５号公報
【発明の概要】
【発明が解決しようとする課題】
【０００４】
しかしながら、従来の技術は、プロジェクターのフリッカーを低減する観点からなされており、投影システム全体で消費される電力のピークを低減する観点は考慮されていなかった。
【０００５】
本発明は、上述した事情に鑑みてなされたものであり、複数の表示部を用いて映像を表示する場合に電力のピークを低減させることを解決課題の一つとする。
【課題を解決するための手段】
【０００６】
本発明に係る画像処理装置の一態様は、第１の水平同期信号と、前記第１の水平同期信号に同期した第１乃至第ｎ（ｎは２以上の自然数）の映像信号を出力する映像出力部と、  前記第１の水平同期信号を遅延して第２の水平同期信号を出力する第１の水平同期遅延部と、前記第２の水平同期信号に同期させるように前記第２の映像信号を遅延して第２の遅延映像信号を出力する第１の映像遅延部とを備え、前記第１の水平同期信号及び前記第１の映像信号は、第１の表示部に供給され、水平走査期間のうち、表示すべき画像の内容を示す期間を有効期間、前記有効期間以外の期間を帰線期間としたとき、前記第１の水平同期遅延部及び前記第１の映像遅延部の遅延時間は、前記第１の映像信号の前記有効期間と前記第２の遅延映像信号の前記有効期間とが少なくとも一部重ならないように設定される。
【０００７】
この態様によれば、第１の表示部は、第１の水平同期信号に同期した第１の映像信号を表示させ、第２の表示部は、第２の水平同期信号に同期した第２の遅延映像信号を表示させる。表示部の消費電力は、水平走査期間内の有効期間にピークを有するところ、第１の映像信号の有効期間と第２の遅延映像信号の有効期間とが少なくとも一部重ならないように第１の水平同期遅延部及び第１の映像遅延部の遅延時間が設定されるので、第１の表示部及び第２の表示部の全体で消費する電力のピークを抑制することができる。
【０００８】
上述した一態様において、ｎは３以上の自然数であり、前記映像出力部は、前記第１の水平同期信号に同期した第３の映像信号を出力し、前記第１の水平同期信号を遅延して第３の水平同期信号を出力する第２の水平同期遅延部と、前記第３の水平同期信号に同期させるように前記第３の映像信号を遅延して第３の遅延映像信号を出力する第２の映像遅延部とを備え、前記第３の水平同期信号及び前記第３の遅延映像信号は、第３の表示部に供給され、前記第２の水平同期遅延部及び前記第２の映像遅延部の遅延時間は、前記第３の遅延映像信号の前記有効期間と前記第１の映像信号の前記有効期間とが少なくとも一部重ならず、且つ前記第３の遅延映像信号の前記有効期間と前記第２の遅延映像信号の前記有効期間とが少なくとも一部重ならないように設定されてもよい。
【０００９】
この態様によれば、第１の表示部に供給される第１の映像信号と、第２の表示部に供給される第２の遅延映像信号と、第３の表示部に供給される第３の遅延映像信号とは、有効期間が少なくとも一部重ならないので、第１乃至第３の表示部で消費される電力が時間的に分散される。この結果、第１乃至第３の表示部の全体で消費する電力ピークを抑制することができる。
【００１０】
ここで、前記第１の水平同期遅延部の遅延時間と前記第２の水平同期遅延部の遅延時間とは、前記第１の水平同期信号から前記第２の水平同期信号まで期間と、前記第２の水平同期信号から前記第３の水平同期信号までの期間が略等しくなるように設定される。この場合、有効期間を均等にずらすことができるので、第１乃至第３の表示部で消費される電力を時間軸上で効果的に分散させることができる。なお、「略等しい」とは、設計上の微差や、信号の遅延による時間差などを含む概念である。
【００１１】
上述した一態様において、ｎは４以上の自然数であり、前記映像出力部は、前記第１の水平同期信号に同期した第３及び第４の映像信号を出力し、前記第２の水平同期信号に同期させるように前記第４の映像信号を遅延して第４の遅延映像信号を出力する第２の映像遅延部とを備え、前記第１の水平同期信号及び前記第３の映像信号は、第３の表示部に供給され、前記第２の水平同期信号及び前記第４の遅延映像信号は、第４の表示部に供給される、ことが好ましい。
【００１２】
この態様によれば、第１及び第３の表示部には第１の水平同期信号が供給され、第２及び第４の表示部には第２の水平同期信号が供給される。従って、第１及び第３の表示部に供給される第１の映像信号及び第３の映像信号の有効期間と、第２及び第４の表示部に供給される第２の映像信号及び第４の映像信号の有効期間とを時間的にずらすことができるので、第１乃至第４の表示部で消費される電力を分散させることができ電力ピークを抑制することが可能となる。
【００１３】
次に、本発明に係る画像処理装置の他の態様は、第１の垂直同期信号と、前記第１の垂直同期信号に同期した第１乃至第ｎ（ｎは２以上の自然数）の映像信号を出力する映像出力部と、前記第１の垂直同期信号を遅延して第２の垂直同期信号を出力する第１の垂直同期遅延部と、前記第２の垂直同期信号に同期させるように前記第２の映像信号を遅延して第２の遅延映像信号を出力する第１の映像遅延部とを備え、前記第１の垂直同期信号及び前記第１の映像信号は、第１の表示部に供給され、前記第２の垂直同期信号及び前記第２の遅延映像信号は、第２の表示部に供給されることを特徴とする。
【００１４】
この態様によれば、第１の表示部は、第１の垂直同期信号に同期した第１の映像信号を表示させ、第２の表示部は、第２の垂直同期信号に同期した第２の遅延映像信号を表示させる。表示部の消費電力は、表示する映像によっては、垂直方向の一部の領域にピークを有する場合があるため、垂直同期信号を遅延させてタイミングを調整することにより、第１の表示部及び第２の表示部の全体で消費する電力のピークを抑制することができる。
【００１５】
上述した他の態様において、ｎは３以上の自然数であり、前記映像出力部は、前記第１の垂直同期信号に同期した第３の映像信号を出力し、前記第１の垂直同期信号を遅延して第３の垂直同期信号を出力する第２の垂直同期遅延部と、前記第３の垂直同期信号に同期させるように前記第３の映像信号を遅延して第３の遅延映像信号を出力する第２の映像遅延部とを備え、前記第３の垂直同期信号及び前記第３の遅延映像信号は、第３の表示部に供給され、前記第１の垂直同期遅延部の遅延時間と前記第２の垂直同期遅延部の遅延時間とは、前記第１の垂直同期信号から前記第２の垂直同期信号まで期間と、前記第２の垂直同期信号から前記第３の垂直同期信号までの期間が略等しくなるように設定されることが好ましい。
【００１６】
この態様によれば、第１の表示部に供給される第１の映像信号と、第２の表示部に供給される第２の遅延映像信号と、第３の表示部に供給される第３の遅延映像信号とは、時間的にずれているので、第１乃至第３の表示部で表示すべき映像が、垂直方向の一部の領域に消費電力のピークを有するような内容であっても、第１乃至第３の表示部で消費される電力が時間的に分散される。この結果、第１乃至第３の表示部の全体で消費する電力ピークを抑制することができる。しかも、第１の垂直同期信号から第２の垂直同期信号まで期間と、第２の垂直同期信号から第３の垂直同期信号までの期間が略等しくなるように設定される。この場合、表示するために大きな電力が必要な映像であっても、そのような映像を表示するタイミングを均等にずらすことができるので、第１乃至第３の表示部で消費される電力を時間軸上で効果的に分散させることができる。
【００１７】
上述した他の態様において、ｎは４以上の自然数であり、前記映像出力部は、前記第１の垂直同期信号に同期した第３及び第４の映像信号を出力し、前記第２の垂直同期信号に同期させるように前記第４の映像信号を遅延して第４の遅延映像信号を出力する第２の映像遅延部とを備え、前記第１の垂直同期信号及び前記第３の映像信号は、第３の表示部に供給され、前記第２の垂直同期信号及び前記第４の映像信号は、第４の表示部に供給されることが好ましい。
【００１８】
この態様によれば、第１及び第３の表示部には第１の垂直同期信号が供給され、第２及び第４の表示部には第２の垂直同期信号が供給される。従って、第１の映像信号及び第３の映像信号が供給される第１及び第３の表示部の消費電力のピークと、第２の映像信号及び第４の映像信号が供給される第２及び第４の表示部の消費電力のピークとを時間的にずらすことができるので、第１乃至第４の表示部で消費される電力を分散させることができ電力ピークを抑制することが可能となる。
【００１９】
次に、本発明に係る表示装置の一態様は、上述した画像処理装置と、第１乃至第ｎの表示部と、前記第１乃至第ｎの表示部に電源を供給する電源部とを備える。この態様によれば、表示装置は、第１乃至第ｎの表示部で消費される電力のピークを抑制することができる。
【図面の簡単な説明】
【００２０】
【図１】第１の実施形態の表示装置１の構成例を示す概念図
【図２】表示装置１の構成例を示すブロック図
【図３】表示装置１の動作時の各部の信号を示すタイミングチャート
【図４】表示装置１の動作時の各部の信号を示すタイミングチャート（詳細）
【図５】第２の実施形態の表示装置１の構成例を示すブロック図
【図６】表示装置１の動作時の各部の信号を示すタイミングチャート
【図７】表示装置１の動作時の各部の信号を示すタイミングチャート（詳細）
【図８】第３の実施形態の表示装置１の構成例を示す概念図
【図９】表示装置１によって表示される映像の例を示す図
【図１０】表示装置１の動作時の各部の信号を示すタイミングチャート
【図１１】表示装置１の動作時の各部の信号を示すタイミングチャート（詳細）
【図１２】変形例に係る表示装置１の構成例を示す概念図
【図１３】表示装置１の構成例を示すブロック図
【図１４】表示装置１の動作時の各部の信号を示すタイミングチャート
【図１５】表示装置の他の構成例を示す概念図
【図１６】表示装置の他の構成例を示す概念図
【図１７】表示装置の他の構成例を示す概念図
【発明を実施するための形態】
【００２１】
以下、本発明の画像処理装置及びこれを用いた表示装置の好適な実施形態を詳細に説明する。なお、この実施形態は例示として挙げるものであり、これにより本発明の内容を限定的に解釈すべきではない。また、以下、各実施形態では、表示装置の表示部を構成する電気光学素子の一例として液晶素子を用いた場合について説明するが、電気光学素子は電気エネルギーによって光学特性が変化する素子であれば、どのようなものであってもよく、例えば、有機ＥＬ（electro luminescence）素子であってもよい。
【００２２】
＜１．第１の実施形態＞
図１は、本実施形態の表示装置の構成例を示すブロック図である。この表示装置１は、映像信号を生成する映像出力部１０と、映像出力部１０が生成した映像信号に対してタイミング調整を含む各種処理を施す画像処理部２０と、画像処理部２０によって処理が施された映像信号に応じた映像を投影するｎ個（ｎ：２以上の自然数、この例では「３」）の表示部３０，４０，５０と、各表示部３０〜５０に電源を供給する電源部７０とを備えている。表示部３０〜５０は、スクリーン８０に投影される映像８１〜８３が水平方向に隣接して投影されるように配置・調整されている。このため、表示部３０〜５０によって投影された映像８１〜８３全体で１つの映像として認識され得るようになっている。
【００２３】
映像出力部１０は、例えば図２に示すように、映像データを保持するフレームバッファ１１と、このフレームバッファ１１からの映像データの読み出しを制御するタイミングジェネレータ１２と、映像データを生成する生成部１３と、フレームバッファ１１に供給する映像データを生成部１３が生成した映像データと外部から供給された映像信号に応じた映像データとで切り替えるセレクタ１４と、映像出力部１０全体の動作を制御する制御部１５とを備えている。このように構成された映像出力部１０では、フレームバッファ１１に格納された映像データを水平方向にｎ個（この例では「３」）の領域に分割し、各領域内の画像データをタイミングジェネレータ１２からのタイミング信号に同期させて読み出し、第１の垂直同期信号ＶＳＹＮＣ１、第１の水平同期信号ＨＳＹＮＣ１、及び第１乃至第３の映像信号ＶＩＤ１，ＶＩＤ２，ＶＩＤ３を画像処理部２０に供給する。
ここで、水平走査期間Ｔｈのうち、表示すべき画像の内容を示す期間を有効期間Ｔａとし、有効期間Ｔａ以外の期間（表示すべき画像の内容を示さない期間）を帰線期間Ｔｂとしたとき、図３に示すように第１乃至第３の映像信号ＶＩＤ１，ＶＩＤ２，ＶＩＤ３の有効期間Ｔａは一致し、第１乃至第３の映像信号ＶＩＤ１，ＶＩＤ２，ＶＩＤ３の帰線期間Ｔｂは一致する。
【００２４】
画像処理部２０は、映像出力部１０から供給された第１の水平同期信号ＨＳＹＮＣ１を所定時間（例えば水平走査期間の１／ｎ）遅延させて第２の水平同期信号ＨＳＹＮＣ２を出力する第１の水平同期遅延部２１と、第１の水平同期信号ＨＳＹＮＣ１を所定時間（例えば水平走査期間の２／ｎ）遅延させて第３の水平同期信号ＨＳＹＮＣ３を出力する第２の水平同期遅延部２２とを備えている。
【００２５】
また、画像処理部２０は、第１の映像遅延部２５Ａと第２の映像遅延部２６Ａとを備える。第１の映像遅延部２５Ａは、第２の水平同期信号ＨＳＹＮＣ２に同期させるように、第２の映像信号ＶＩＤ２を所定時間（例えば水平走査期間の１／ｎ）遅延させて第２の遅延映像信号ＶＩＤ２’を出力する。第２の映像遅延部２６Ａは、第２の水平同期信号ＨＳＹＮＣ２に同期させるように、第３の映像信号ＶＩＤ３を所定時間（例えば水平走査期間の２／ｎ）遅延させて第３の映像信号ＶＩＤ３’を出力する。これらの第１及び第２の映像遅延部２５，２６は、例えば、ＦＩＦＯのメモリによって構成することができる。
【００２６】
ここで、第１の水平同期遅延部２１及び第１の映像遅延部２５Ａの遅延時間は、図３に示すように、水平走査期間Ｔｈ内で、第１の映像信号ＶＩＤ１の有効期間Ｔａ１と第２の遅延映像信号ＶＩＤ２’の有効期間Ｔａ２とが少なくとも一部重ならないように設定する。また、第２の水平同期遅延部２２及び第２の映像遅延部２６Ａの遅延時間は、水平走査期間Ｔｈ内で、第１の映像信号ＶＩＤ１の有効期間Ｔａ１と第３の遅延映像信号ＶＩＤ３’の有効期間Ｔａ３とが少なくとも一部重ならず、第２の遅延映像信号ＶＩＤ２’の有効期間Ｔａ２と第３の遅延映像信号ＶＩＤ３’の有効期間Ｔａ３とが少なくとも一部重ならないように設定する。
【００２７】
好適には、第１の水平同期遅延部２１と第１の映像遅延部２５Ａの遅延時間Ｔ１は同じ時間であり、表示部３０〜５０の数をｎ＝３とし、水平走査期間をＴｈとすると、Ｔ１＝Ｔｈ／ｎ＝Ｔｈ／３となっている。また、第２の水平同期遅延部２２と第２の映像遅延部２６Ａの遅延時間Ｔ２は同じ時間であり、Ｔ２＝２×Ｔｈ／ｎ＝２×Ｔｈ／３となっている。即ち、第１の水平同期遅延部２１の遅延時間と第２の水平同期遅延部２２の遅延時間とは、第１の水平同期信号ＨＳＹＮＣ１から第２の水平同期信号ＨＳＹＮＣ２まで期間と、第２の水平同期信号ＨＳＹＮＣ２から第３の水平同期信号ＨＳＹＮＣ３までの期間が略等しくなるように設定される。
但し、通常の仕様において表示に支障がないのであれば、第１の水平同期遅延部２１の遅延時間と第１の映像遅延部２５Ａの遅延時間とは必ずしも一致しなくてもよい。また、第２の水平同期遅延部２２の遅延時間と第２の映像遅延部２６Ａの遅延時間とは必ずしも一致しなくてもよい。
【００２８】
表示部３０〜５０は、例えば、電気光学パネルを有するプロジェクター装置である。電気光学パネルには、画素領域、走査線駆動回路及びデータ線駆動回路が設けられている。画素領域には、ｘ方向（水平走査方向）に延在するＫ（Ｋは２以上の偶数）本の走査線が設けられている。また、電気光学パネルには、ｙ方向（垂直走査方向）に延在するＬ（Ｌは自然数）本のデータ線が形成されている。この電気光学パネル内の画素は、走査線とデータ線との各交差に対応して縦Ｋ行×横Ｌ列の行列状に配列されている。画素には、例えば液晶素子が用いられている。
また、走査線駆動回路は、水平走査期間毎に１本の走査線を選択する。データ線駆動回路は、選択された走査線に対応する１行の各画素で表示すべき階調に応じた大きさのデータ信号をＬ本のデータ線の各々に供給する。データ信号はデータ線を介して画素に書き込まれる。
また、表示部３０〜５０は、電気光学パネルに各種の制御信号と映像信号とを供給する制御部を備えている。
【００２９】
このように構成された表示部３０〜５０には、第１の垂直同期信号ＶＳＹＮＣ１と第１乃至第３の水平同期信号ＨＳＹＮＣ１〜ＨＳＹＮＣ３に同期した第１の映像信号ＶＩＤ１並びに第２及び第３の遅延映像信号ＶＩＤ２’及びＶＩＤ３’が供給される。これらの表示部３０〜５０は、供給された第１の垂直同期信号ＶＳＹＮＣ１と第１乃至第３の水平同期信号ＨＳＹＮＣ１〜ＨＳＹＮＣ３に同期させて第１の映像信号ＶＩＤ１並びに第２及び第３の遅延映像信号ＶＩＤ２’及びＶＩＤ３’に応じた映像を、電気光学パネルによって生成し、生成した映像を光学系によってスクリーン８０に投影する。
【００３０】
次に、電源部７０は、表示部３０〜５０が交流で動作する場合は、例えば交流２線式１００Ｖの商用電源であり、例えば所定の閾値以上の電流が流れた際に、電力の供給を遮断する機能を備えている。この「所定の閾値」は、映像出力部１０，画像処理部２０，表示部３０〜５０の消費電力の合計のピークに応じて設定される。また、表示部３０〜５０が直流で動作する場合は、直流電源で構成することができる。
【００３１】
次に、上述した表示装置１の動作について説明する。表示装置１では、映像出力部１０は、各表示部３０〜５０に表示させる第１乃至第３の映像信号ＶＩＤ１〜ＶＩＤ３を生成し、例えば図３に示すように、第１の垂直同期信号ＶＳＹＮＣ１及び第１の水平同期信号ＨＳＹＮＣ１と共に画像処理部２０に供給する。具体的には、映像出力部１０では、フレームバッファ１１には、制御部１５からの指示に応じてセレクタ１４によって選択された映像データが格納されている。制御部１５は、タイミングジェネレータ１２に指示して、フレームバッファ１１中の映像データを水平方向に３つに分割した各々の領域内の画像データを第１の垂直同期信号ＶＳＹＮＣ１及び第１の水平同期信号ＨＳＹＮＣ１に同期させて読み出させる。読み出された画像データは、第１の垂直同期信号ＶＳＹＮＣ１と第１の水平同期信号ＨＳＹＮＣ１と共に、第１乃至第３の映像信号ＶＩＤ１，ＶＩＤ２，ＶＩＤ３として画像処理部２０に供給される。
【００３２】
画像処理部２０は、映像出力部１０から供給された第１の垂直同期信号ＶＳＹＮＣをそのままのタイミングで表示部３０〜５０に供給する。また、画像処理部２０は、映像出力部１０から供給された第１の水平同期信号ＨＳＹＮＣ１をそのままのタイミングで表示部３０に供給し、第１の水平同期遅延部２１によって遅延させた第２の水平同期信号ＨＳＹＮＣ２を表示部４０に供給し、第２の水平同期遅延部２２によって遅延させた第３の水平同期信号ＨＳＹＮＣ３を表示部５０に供給する。また、この画像処理部２０は、映像出力部１０から供給された第１の映像信号ＶＩＤ１をそのままのタイミングで表示部３０に供給し、第２の映像信号ＶＩＤ２を第１の映像遅延部２５Ａによって遅延させて得た第２の遅延映像信号ＶＩＤ２’を表示部４０に供給し、第３の映像信号ＶＩＤ３を第２の遅延部２６によって遅延させて得た第３の映像信号ＶＩＤ３’を表示部４０に供給する。
【００３３】
この実施形態では、表示部３０〜表示部５０に供給する第１の映像信号ＶＩＤ１並びに第２及び第３の遅延映像信号ＶＩＤ２’及びＶＩＤ３’のタイミングを水平走査期間内で均等に分散させている。
【００３４】
ところで、上述のように、表示部３０〜５０は、例えば表示素子として液晶パネル等の電気光学素子を用いたプロジェクター装置から構成されているため、電気光学素子の駆動時に、消費電力Ｐ１〜Ｐ３のピークがある。具体的には、電気光学素子の駆動時には、上述の走査線を順次選択し、データ線のプリチャージ及び駆動を行って、走査線とデータ線の交差に対応した画素を駆動する。走査線の選択は、水平走査期間Ｔｈ内に行われるが、データ線のプリチャージ及び駆動は、水平走査期間Ｔｈ内の有効期間Ｔａ内に行われる。また、水平走査期間内の帰線期間Ｔｂには、データ線のプリチャージ及び駆動は行われない。このため、表示部３０〜５０の消費電力Ｐ１〜Ｐ３の波形は、上述の図３に示すように、有効期間Ｔａ１〜Ｔａ３にピークがある状態となる。厳密には、投影用光源や制御部等の消費電力があるため、帰線期間Ｔｂ内の消費電力は０ではないが、図３中では、帰線期間Ｔｂ内の消費電力に対して無視できるものとして図示している。
【００３５】
この表示装置１では、画像処理部２０によって、表示部４０に供給される第２の遅延映像信号ＶＩＤ２’及び表示部５０に供給される第３の遅延映像信号ＶＩＤ３’が、表示部３０に供給される第１の映像信号ＶＩＤから遅延されているため、表示部３０〜表示部５０の消費電力Ｐ１〜Ｐ３の合計電力Ｐｔｏｔａｌは、上述の図３に示すように、ピーク電力である期間が短縮された状態となっている。なお、この図３の合計電力Ｐｔｏｔａｌの波形において、この実施形態のように映像信号のタイミング調整を行った場合の波形は実線で示されており、タイミング調整を行わない場合の波形は破線で示されている。
【００３６】
図４は、上述の図３における各表示部３０〜５０の電力Ｐ１〜Ｐ３及びこれらの合計電力Ｐｔｏｔａｌの波形をより詳細に示した図である。時刻ｔ１〜ｔ２の水平走査期間に注目すると、第２の遅延映像信号ＶＩＤ２’及び第３の遅延映像信号ＶＩＤ３’のタイミングを調整しない場合の合計電力Ｐｔｏｔａｌは、同図中に破線で示すように、ピーク電力が３Ｐ０で、３Ｐ０と０の間で変動する矩形状の波形となる。なお、ここで、Ｐ０は、各表示部３０〜５０の消費電力Ｐ１〜Ｐ３のピーク電力である。これに対し、この実施形態のように、第２の遅延映像信号ＶＩＤ２’及び第３の遅延映像信号ＶＩＤ３’のタイミングを調整した場合には、同図中に実線で示すように、ピーク電力が３Ｐ０で、２Ｐ０と３Ｐ０の間で変動する波形となる。これらの波形を比較すると、実線で示すこの実施形態の波形では、ピーク電力３Ｐ０である期間が、破線で示すタイミング調整を行わない場合の波形より短縮されている。
【００３７】
このように水平走査期間Ｔｈ内で、第１の映像信号ＶＩＤ１の有効期間Ｔａ１と第２の遅延映像信号ＶＩＤ２’の有効期間Ｔａ２とが少なくとも一部重ならないように設定し（図４に示す期間Ｔｂ１及び期間Ｔｂ２）、第２の水平同期遅延部２２及び第２の映像遅延部２６の遅延時間は、第３の遅延映像信号ＶＩＤ３’の有効期間Ｔａ３と第１の映像信号ＶＩＤ１の有効期間Ｔａ１とが少なくとも一部重ならず（図４に示す期間Ｔｂ２及び期間Ｔｂ３）、且つ第３の遅延映像信号ＶＩＤ３’の有効期間Ｔａ３と第２の遅延映像信号ＶＩＤ２’の有効期間Ｔａ２とが少なくとも一部と重ならない（図４に示す期間Ｔｂ３及び期間Ｔｂ１）ように設定することによって、各表示部３０〜５０で消費される電力のピーク期間を分散させている。
特に、図４に示すように第１の映像信号ＶＩＤ１の帰線期間Ｔｂ１と第２の遅延映像信号ＶＩＤ２’の帰線期間Ｔｂ２と第３の遅延映像信号ＶＩＤ３’の帰線期間Ｔｂ３とが重ならないことが、電力を分散させる観点から好ましい。
【００３８】
本実施形態では、上述のように、第２の映像信号ＶＩＤ２’及び第３の映像信号ＶＩＤ３’のタイミングを水平走査期間内で分散させるように調整したので、各表示部３０〜５０の消費電力Ｐ１〜Ｐ３のピーク電力の期間を分散させて、合計電力Ｐｔｏｔａｌのピーク期間を短縮させることができる。これにより、この実施形態では電力のピークを抑制することが可能となる。
【００３９】
＜２．第２の実施形態＞
上述の第１の実施形態では、上述のように、表示部３０〜５０に供給する第１の映像信号ＶＩＤ１並びに第２及び第３の遅延映像信号ＶＩＤ２’及びＶＩＤ３’のタイミングを水平走査期間内で分散させていたが、電力のピークの抑制の観点では、全ての映像信号を水平走査期間内で分散させなくてもよい。
【００４０】
図５は、このような動作を行う第２の実施形態の表示装置１の構成例を示している。
この表示装置１は、６つの表示部３０〜６０，１１０，１２０を備えている。映像出力部１０は、これらの表示部３０〜６０，１１０，１２０に対応させて６つの第１乃至第６の映像信号ＶＩＤ１〜ＶＩＤ６を出力する。また、画像処理部２０は、上述の第１の実施形態と同様に映像出力部１０からの第１の水平同期信号ＨＳＹＮＣ１を遅延させる第１及び第２の水平同期遅延部２１，２２を備えている。また、画像処理部２０は、第２の水平同期信号ＨＳＹＮＣ２に同期させるように第２及び第４の映像信号ＶＩＤ２，ＶＩＤ４を所定時間（例えばＴ１＝Ｔｈ／３、Ｔｈは水平走査期間）遅延させて第２及び第４の遅延映像信号ＶＩＤ２’，ＶＩＤ４’を出力する第１及び第２の映像遅延部２５Ａ，２６Ｂと、第３の水平同期信号ＨＳＹＮＣ３に同期させるように第５及び第６の映像信号ＶＩＤ５，ＶＩＤ６を所定時間（例えばＴ２＝２×Ｔｈ／３）遅延させて第５及び第６の遅延映像信号ＶＩＤ５’，ＶＩＤ６’を出力する第３及び第４の映像遅延部２８，２９とを備えている。
【００４１】
このように構成された表示装置１では、画像処理部２０は、例えば図６に示すように、映像出力部１０からの第１の垂直同期信号ＶＳＹＮＣ１をそのままのタイミングで表示部３０〜６０，１１０，１２０に供給する。また、画像処理部２０は、映像出力部１０から供給された第１の水平同期信号ＨＳＹＮＣ１をそのままのタイミングで表示部３０，４０に供給し、第１の水平同期信号ＨＳＹＮＣ１を第１の水平同期遅延部２１によって遅延させて得た第２の水平同期信号ＨＳＹＮＣ２を表示部５０，６０に供給し、第１の水平同期信号ＨＳＹＮＣ１を第２の水平同期遅延部２２によって遅延させて得た第３の水平同期信号ＨＳＹＮＣ３を表示部１１０，１２０に供給する。
そして、第１の表示部として機能する表示部３０には第１の映像信号ＶＩＤ１が供給され、第２の表示部として機能する表示部５０には第２の遅延映像信号ＶＩＤ２’が供給され、第３の表示部として機能する表示部４０には第３の映像信号ＶＩＤ３が供給され、第４の表示部として機能する表示部６０には第４の遅延映像信号ＶＩＤ４’が供給され、第５の表示部として機能する表示部１１０には第５の遅延映像信号ＶＩＤ５’が供給され、第６の表示部として機能する表示部１２０には第６の映像信号ＶＩＤ６’が供給される。
【００４２】
この表示装置１では、表示部５０，６０に供給される第２及び第４の遅延映像信号ＶＩＤ２’，ＶＩＤ４’が、表示部３０，４０に供給される第１及び第３の映像信号ＶＩＤ１，ＶＩＤ３より遅延している。また、表示部１１０，１２０に供給される第５及び第６の遅延映像信号ＶＩＤ５’，ＶＩＤ６’は第２及び第４の遅延映像信号ＶＩＤ２’，ＶＩＤ４’よりさらに遅延している。上述の第１の実施形態と同様に、各表示部３０〜６０，１１０，１２０の消費電力Ｐ１〜Ｐ６のピークは有効期間Ｔａ内である。このため、表示部３０〜６０，１１０，１２０の消費電力Ｐ１〜Ｐ６の合計電力Ｐｔｏｔａｌは、上述の図６に示すように、ピーク電力である期間が短縮された状態となっている。なお、この図６の合計電力Ｐｔｏｔａｌの波形において、この実施形態のように映像信号のタイミング調整を行った場合の波形は実線で示されており、タイミング調整を行わない場合の波形は破線で示されている。
【００４３】
図７は、各表示部３０〜６０，１１０，１２０の電力Ｐ１〜Ｐ６及びこれらの合計電力Ｐｔｏｔａｌの波形をより詳細に示した図である。時刻ｔ１〜ｔ２の水平走査期間に注目すると、第１乃至第６の映像信号ＶＩＤ１〜ＶＩＤ６のタイミングを調整しない場合の合計電力Ｐｔｏｔａｌは、同図中に破線で示すように、ピーク電力が６Ｐ０で、６Ｐ０と０の間で変動する矩形状の波形となる。なお、ここで、Ｐ０は、各表示部３０〜６０，１１０，１２０の消費電力Ｐ１〜Ｐ６のピーク電力である。これに対し、この実施形態のように、第２及び第４乃至第６の遅延映像信号ＶＩＤ２’，ＶＩＤ４’〜ＶＩＤ６’のタイミングを調整した場合には、同図中に実線で示すように、ピーク電力が６Ｐ０で、４Ｐ０と６Ｐ０の間で変動する波形となる。これらの波形を比較すると、実線で示すこの実施形態の波形では、ピーク電力６Ｐ０である期間が、破線で示すタイミング調整を行わない場合の波形より短縮されている。
このように水平走査期間Ｔｈ内で、第１及び第３の映像信号ＶＩＤ１，ＶＩＤ３の有効期間Ｔａ１’と第２及び第４の遅延映像信号ＶＩＤ２’，ＶＩＤ４’の有効期間Ｔａ２’とが少なくとも一部重ならないように設定し（図７に示す期間Ｔｘ及び期間Ｔｙ）、第２及び第４の遅延映像信号ＶＩＤ２’，ＶＩＤ４’の有効期間Ｔａ２’と第５及び第６の遅延映像信号ＶＩＤ５’，ＶＩＤ６’の有効期間Ｔａ３’とが少なくとも一部重ならない（図７に示す期間Ｔｙ及び期間Ｔｚ）ように設定し、且つ第５及び第６の遅延映像信号ＶＩＤ５’，ＶＩＤ６’の有効期間Ｔａ３’と第１及び第３の映像信号ＶＩＤ１，ＶＩＤ３の有効期間Ｔａ１’とが少なくとも一部と重ならない（図７に示す期間Ｔｚ及び期間Ｔｘ）ように設定することによって、することによって、各表示部３０〜５０，１１０，１２０で消費される電力のピーク期間を分散させている。
【００４４】
従って、この実施形態では、表示部３０〜６０，１１０，１２０に供給する映像信号のタイミングを水平走査期間内で分散させることにより、各表示部３０〜６０，１１０，１２０の消費電力Ｐ１〜Ｐ６のピーク電力の期間を分散させて、合計電力Ｐｔｏｔａｌのピーク期間を短縮させることができる。これにより、この実施形態では、上述の第１の実施形態と同様に、電力のピークを抑制することができる。
【００４５】
＜３．第３の実施形態＞
上述の第１及び第２の実施形態では、映像信号のタイミングを水平走査期間内で分散させていたが、表示する映像によっては、垂直走査方向の特定の領域の消費電力が高くなる場合も想定される。このため、映像信号のタイミングを垂直走査期間内でも分散させるようにしてもよい。
【００４６】
図８は、このような動作を行う第３の実施形態の表示装置１の構成例を示している。
この表示装置１は、３つの表示部３０〜５０を備えており、映像出力部１０は上述の第１の実施形態と同様に、第１乃至第３の映像信号ＶＩＤ１〜ＶＩＤ３を画像処理部２０に供給する。画像処理部２０は、第１の実施形態と同様に第１の水平同期信号ＨＳＹＮＣ１を遅延させて第２及び第３の水平同期信号ＨＳＹＮＣ２，ＨＳＹＮＣ３を出力する第１及び第２の水平同期遅延部２１，２２を備える。更に、画像処理部２０は、第１の垂直同期信号ＶＳＹＮＣ１を所定時間遅延させて第２及び第３の垂直同期信号ＶＳＹＮＣ２，ＶＳＹＮＣ３を出力する第１及び第２の垂直同期遅延部２３，２４とを備えている。第１の水平同期遅延部２１の遅延時間は、水平走査期間をＴｈとすると、例えばＴ１＝Ｔｈ／３となっている。また、第２の水平同期遅延部２２の遅延時間は、例えばＴ２＝２×Ｔｈ／３となっている。第１の垂直同期遅延部２３の遅延時間は、垂直走査期間をＴｖとすると、例えばＴ５＝Ｔｖ／ｎ＝Ｔｖ／３となっている。また、第２の垂直同期遅延部２４の遅延時間は、例えばＴ６＝２×Ｔｖ／ｎ＝２×Ｔｖ／３となっている。
【００４７】
また、画像処理部２０は、第１の映像遅延部２５Ｃと第２の映像遅延部２６Ｃとを備える。第１の映像遅延部２５Ｃは、第２の水平同期信号ＨＳＹＮＣ２及び第２の垂直同期信号ＶＳＹＮＣ２に同期させるように第２の映像信号ＶＩＤ２を所定時間（Ｔ１＋Ｔ５）遅延させて得た第２の遅延映像信号ＶＩＤ２’を出力する。第２の映像遅延部２６Ｃは、第３の水平同期信号ＨＳＹＮＣ３及び第３の垂直同期信号ＶＳＹＮＣ３に同期させるように第３の映像信号ＶＩＤ３を所定時間（Ｔ２＋Ｔ６）遅延させて得た第３の遅延映像信号ＶＩＤ３’を出力する。これらの第１及び第２の映像遅延部２５Ｃ，２６Ｃは、例えば１フレーム分のデータ（映像信号）を格納するフレームバッファから構成されている。
【００４８】
このように構成された表示装置１で、例えば図９に示すように、映像の上半分が空の風景画像８５、下半分が波立つ海の風景画像８６で構成される映像を表示する場合について考える。このような映像では、空の風景画像８５の部分では映像の変化が小さく、海の風景画像８６の部分では波によって映像の変化が大きい。映像の変化が大きい領域では、隣接するフレーム間での書き換え時の電流によって消費電力が大きくなる。
【００４９】
図１０は、このような映像の映像データに応じて表示部３０〜５０を駆動する際の各部の波形の概略を示している。例えば第１の映像信号ＶＩＤ１に対応する消費電力Ｐ１は、映像の変化が小さい映像の上半分の領域に相当する垂直走査期間内の前半部分では消費電力が小さく、映像の変化が大きい映像の下半分の領域に相当する垂直走査期間内の後半部分では消費電力が大きくなっている。第２及び第３の遅延映像信号ＶＩＤ２’，ＶＩＤ３’に対応する消費電力Ｐ２，Ｐ３についても同様になっている。なお、上述の第１及び第２実施形態と同様に、水平走査期間内でも消費電力の変動があるが、この図１０中では、垂直走査期間内の変動に注目し、水平走査期間内の消費電力の変動は省略している。
【００５０】
この実施形態の表示装置１では、上述の第１及び第２の実施形態と同様に水平走査期間内の映像信号のタイミングを分散させ、さらに、垂直走査期間内の映像信号のタイミングを分散させているため、同図中に実線で示すように、垂直走査期間内の表示部３０〜５０の合計電力Ｐｔｏｔａｌのピークを分散させることができるようになっている。なお、垂直走査期間内の映像信号のタイミングの調整を行わない場合の合計電力Ｐｔｏｔａｌは同図中に破線で示している。
【００５１】
図１１は、各表示部３０〜５０の電力Ｐ１〜Ｐ３及びこれらの合計電力Ｐｔｏｔａｌの波形をより詳細に示した図である。時刻ｔ１〜ｔ２の垂直走査期間に注目すると、第１乃至第３の映像信号ＶＩＤ１〜ＶＩＤ３タイミングを調整しない場合の合計電力Ｐｔｏｔａｌは、同図中に破線で示すように、ピーク電力が３Ｐ１で、３Ｐ１と３Ｐ２の間で変動する矩形状の波形となる。なお、ここで、Ｐ１は、各表示部３０〜５０の消費電力Ｐ１〜Ｐ３のピーク電力（垂直走査期間の後半の消費電力）であり、Ｐ２は、各表示部３０〜５０の垂直走査期間の前半の消費電力である。これに対し、この実施形態のように、第２及び第３の映像信号ＶＩＤ２’，ＶＩＤ３’のタイミングを調整した場合には、同図中に実線で示すように、ピーク電力が２Ｐ１＋Ｐ２で、２Ｐ１＋Ｐ２とＰ１＋２Ｐ２の間で変動する波形となる。すなわち、ピーク電力を３Ｐ１から２Ｐ１＋Ｐ２に低下している。
【００５２】
従って、この実施形態では、上述の各実施形態と同様に、第１の映像信号ＶＩＤ１並びに第２及び第３の遅延映像信号ＶＩＤ２’及びＶＩＤ３’のタイミングを水平方向に分散させることに加えて、第１の映像信号ＶＩＤ１並びに第２及び第３の遅延映像信号ＶＩＤ２’及びＶＩＤ３’のタイミングを垂直走査期間内で分散させることにより、電力のピークをさらに抑制することができる。
【００５３】
＜４．変形例＞
本発明は、上述した各実施形態に限定されるものではなく、例えば、以下に述べる各種の変形例が可能である。また、各変形例は、変形例同士を適宜組み合わせてもよく、更に、上述した各実施形態と適宜組み合わせてもよい。
【００５４】
（１）上述の各実施形態では、表示部の電気光学パネルを構成する画素として液晶素子を用いた場合について説明したが、有機ＥＬ素子、あるいはＤＭＤ（Digital Mirror Device）素子等を画素として用いた場合にも本発明を適用することができる。また、上述した第１及び第３実施形態では、３個の表示部３０〜５０を用いたが本発明はこれに限定されるものではなく、２個以上の表示部を備えていればよい。また、上述した第２実施形態では６個の表示部３０〜５０、１１０、１２０を備えたが、本発明はこれに限定されるものではなく、４個以上の表示部を備えるものであってもよい。
【００５５】
（２）上述の第３の実施形態では、各表示部に供給する映像信号のタイミングを水平走査期間内及び垂直走査期間内で分散させるようにしていたが、垂直走査期間内のみで映像信号のタイミングを分散させるようにしても、消費電力のピークを抑制することができる。
この場合、第１の映像遅延部２５Ｃは、第２の垂直同期信号ＶＳＹＮＣ２に同期させるように第２の映像信号ＶＩＤ２を遅延して第２の遅延映像信号ＶＩＤ２’を出力する。即ち、第１の映像遅延部２５Ｃは、第２の垂直同期信号ＶＳＹＮＣ２との同期のみを考慮して第２の映像信号ＶＩＤ２を遅延してもよいし、あるいは、第２の垂直同期信号ＶＳＹＮＣ２と第２の水平同期信号ＨＳＹＮＣ２との同期を考慮して、第２の映像信号ＶＩＤ２を遅延してもよい。換言すれば、第１の映像遅延部２５Ｃは、少なくとも第２の垂直同期信号ＶＹＳＮＣ２に同期させるように第２の映像信号ＶＩＤ２を遅延して第２の遅延映像信号ＶＩＤ２’を出力すればよい。同様に、第２の映像遅延部２６Ｃは、少なくとも第３の垂直同期信号ＶＳＹＮＣ３に同期させるように第３の映像信号ＶＩＤ３を遅延させて得た第３の遅延映像信号ＶＩＤ３’を出力すればよい。
【００５６】
（３）表示する映像の内容に応じて、映像信号のタイミングを分散させる期間を、水平走査期間内，垂直走査期間内，水平走査期間内及び垂直走査期間内で切り替えるようにしてもよい。この場合、画像処理部２０において、各映像信号をフレームバッファに格納しておき、映像信号の特徴量（例えば前のフレームとの差分等）に応じて、これらのタイミングを分散させる期間を切り替えるようにすることができる。
【００５７】
（４）上述の第１及び第３の実施形態では、３つの表示部３０〜５０を用いた場合について説明したが、例えば図１２及び図１３に示すように、４つの表示部３０〜６０を用いるようにしてもよい。この場合、図１４に示すように、映像信号ＶＩＤ１’〜ＶＩＤ４’を水平走査期間内で均等に分散させるようにすれば、合計電力Ｐｔｏｔａｌのピークをさらに低減させることができる。具体的には、映像信号ＶＩＤ１’〜ＶＩＤ４’のタイミング調整を行わない場合の合計電力Ｐｔｏｔａｌは、同図中に破線で示すように、ピーク電力が４Ｐ０で、４Ｐ０と０の間で変動する矩形状の波形となる。なお、ここで、Ｐ０は、各表示部３０〜６０の消費電力Ｐ１〜Ｐ４のピーク電力（垂直走査期間の後半の消費電力）である。これに対し、映像信号ＶＩＤ１’〜ＶＩＤ４’のタイミング調整を行った場合の合計電力Ｐｔｏｔａｌのピーク電力は、同図中に実線で示すように３Ｐ０となる。
【００５８】
＜５．応用例＞
次に、上述した実施形態及び変形例に係る表示装置１を適用した表示装置の例について説明する。
上述の各実施形態では、表示部を電気光学パネルを有するプロジェクター装置から構成した例について説明したが、例えば図１５に示すように、液晶表示装置あるいはＯＬＥＤ表示装置等の電気光学パネルを有するディスプレイ装置を表示部として用いた場合にも本発明を適用することができる。
【００５９】
また、例えば図１６に示すように、例えば同一のスクリーンに偏波の異なる映像を投影する複数の表示部３０３０，３０４０を備える立体映像表示装置にも本発明を適用することができる。あるいは、例えば図１７に示すように、表面に微細な構造を有するスクリーン４０８０に、複数の視点の異なる映像を投影する表示部４０３０〜４０５０を備える立体画像表示装置にも本発明を適用することもできる。
【符号の説明】
【００６０】
１…表示装置、１０…映像出力部、２０…画像処理部、３０，４０，５０，６０，１１０，１２０…表示部、７０…電源部、８０…スクリーン。
【図１】
2015203851.tif 000003
【図２】
2015203851.tif 000004
【図３】
2015203851.tif 000005
【図４】
2015203851.tif 000006
【図５】
2015203851.tif 000007
【図６】
2015203851.tif 000008
【図７】
2015203851.tif 000009
【図８】
2015203851.tif 000010
【図９】
2015203851.tif 000011
【図１０】
2015203851.tif 000012
【図１１】
2015203851.tif 000013
【図１２】
2015203851.tif 000014
【図１３】
2015203851.tif 000015
【図１４】
2015203851.tif 000016
【図１５】
2015203851.tif 000017
【図１６】
2015203851.tif 000018
【図１７】
2015203851.tif 000019